(57)【特許請求の範囲】
【請求項１】
基部に可動式に取り付けられるクリップであって、
クリップ本体と、
クリップ本体から突出する一対のクリップ脚部と、
基部に形成される一対の凹面と、
各クリップ脚部は、各凹面と接するとともに、
各凹面から突出する支持ピンと嵌合してクリップ回動の支点を構成する貫通孔を有し、
基部には、凸リブが設けられ、
クリップ本体は、凸リブと共に、クリップ回動を制限するストッパ構造を構成することを特徴とする可動式クリップ。
【請求項２】
基部に可動式に取り付けられるクリップであって、
クリップ本体と、
クリップ本体から突出する一対のクリップ脚部と、
基部に形成される一対の凹面と、
各クリップ脚部は、各凹面と接するとともに、
各凹面から突出する支持ピンと嵌合してクリップ回動の支点を構成する貫通孔を有し、
基部には、凸リブが設けられ、
クリップ本体の内面には、凸リブに対向する突起が設けられ、
凸リブと突起とが当接・係合することによりクリップ回動が制限されることを特徴とする可動式クリップ。
【請求項３】
請求項１または２に記載の可動式クリップにおいて、
前記一対のクリップ脚部は、湾曲部を有する上記一対の凹面に接する凸面を有することを特徴とする可動式クリップ。
【請求項４】
請求項１ないし３のいずれか一項に記載の可動式クリップにおいて、
凸リブは、少なくともクリップ外れの低減のため、両クリップ脚部の間に位置することを特徴とする可動式クリップ。
【請求項５】
請求項１ないし４のいずれか一項に記載の可動式クリップを備えることを特徴とする筆記具。
【発明の詳細な説明】
【技術分野】
【０００１】
本発明は、可動式クリップに関し、特に、筆記具の可動式クリップに関する。
【背景技術】
【０００２】
筆記具のクリップとして、たとえば、特許文献１には、バネ付勢される可動式のクリップを備えた筆記具が開示されている。
【０００３】
特許文献１の筆記具においては、軸筒から軸筒に直交する方向に支柱が突出形成され、支柱には、支柱に直交する方向に延出するピン状部が設けられる。
【０００４】
クリップは、支柱のピン状部とクリップ両側面の係合孔との連結部を支点にして双方向に回動でき、コイルバネの付勢力によってクリップが閉じる方向に常時付勢される。
【０００５】
【特許文献１】特許第４５１８９１５号
【発明の開示】
【発明が解決しようとする課題】
【０００６】
特許文献１の筆記具では、軸筒から上方に突出した支柱に設けたピン状部を回動支点としてクリップが回動する構造上、クリップが軸筒から離間した位置で回動するので、クリップ構造が不可避的に大型化し、無骨な印象を与え易い。
【０００７】
本発明は、クリップとしての機能を確保しつつ、クリップ外れを効果的に回避でき、デザインの自由度を拡大できる（たとえば、スマートな外観を得ることができる）新規かつ斬新な可動式クリップ（および筆記具）を提供することをその課題とする。
【課題を解決するための手段】
【０００８】
上記課題を解決するために、本発明の第１態様は、
基部に可動式に取り付けられるクリップであって、
クリップ本体と、
クリップ本体から突出する一対のクリップ脚部と、
基部に形成される一対の凹面と、
各クリップ脚部は、各凹面と接するとともに、
各凹面から突出する支持ピンと嵌合してクリップ回動の支点を構成する貫通孔を有することを特徴とする可動式クリップである。
【０００９】
本発明の第２態様は、
第１態様に記載の可動式クリップにおいて、
前記一対のクリップ脚部は、基部を両側から挟み込むような相互対称形状を有することを特徴とする可動式クリップである。
本発明の第３態様は、
第１または第２態様に記載の可動式クリップにおいて、
前記一対のクリップ脚部は、湾曲部を有する上記一対の凹面に接する凸面を有すると共に、クリップ回動を制限するストッパ構造を構成することを特徴とする可動式クリップである。
【００１０】
本発明の第４態様は、
第１または第２態様に記載の可動式クリップにおいて、
基部には、凸リブが設けられることを特徴とする可動式クリップである。
本発明の第５態様は、
第４態様に記載の可動式クリップにおいて、
クリップ本体は、凸リブと共に、クリップ回動を制限するストッパ構造を構成することを特徴とする可動式クリップである。
本発明の第６態様は、
第４または第５態様記載の可動式クリップにおいて、
凸リブは、少なくともクリップ外れの低減のため、両クリップ脚部の間に位置することを特徴とする可動式クリップ。
【００１１】
本発明の第７態様は、
軸体と、
軸体に可動式に取り付けられるクリップとを含む筆記具において、
クリップ本体と、
クリップ本体から突出する一対のクリップ脚部と、
軸体に形成される湾曲部を有する一対の湾曲凹面と、
各クリップ脚部は、各湾曲凹面と接するとともに、
該切り欠き部両側から突出する支持ピンと嵌合してクリップ回動の支点を構成する貫通孔を有することを特徴とする筆記具である。
【発明の効果】
【００１２】
本発明によれば、従来と同等もしくはそれ以上のクリップ機能を保有しつつ、クリップ外れを有効に回避でき、クリップに関連する商品設計の自由度を拡大できる。
本発明の上記および他の目的、特徴、および利点（効果）については、本発明の実施形態の説明および図面から当業者にとって明らかになろう。
【発明を実施するための形態】
【００１３】
以下、図面を参照して、本発明の複数の実施形態を説明するが、本発明自体はそれらに限定されないことは言うまでもない。
【００１４】
［第１実施形態］
図１〜図１０を参照して、本発明の第１実施形態の筆記具１について説明する。この筆記具１は、ワンノック（１回の押圧動作）で鉛筆芯を筆記具先端から所定量だけ繰り出すことができるメカニカルペンシルである。
【００１５】
図１に全体を示す本実施形態の筆記具１は、内部構造を図示しないが、内部中央に配置されて芯繰り出し機構の主要部を構成するメカセットと、メカセット前方部分を同心状に覆う先金３と、先金３に接続されてメカセットの後方部分を同心状に覆う中軸５及び後軸７と、後軸７の後部に取り付けられる尾冠９と、メカセット後端に連結されて尾冠後端から突出する芯繰り出し用のノックバー１１と、を基本的に含む。これらの筆記具構成要素自体は、本発明と直接関係しないので、これ以上の説明は省略する。
【００１６】
図２〜４に示すように、筆記具１の尾冠９には、対象物を挟み込むクリップ１３と、クリップ１３によるクリップ力の発生源となるコイルバネ１５と、が備え付けられる。
【００１７】
図５〜７に示すように、クリップ１３は、筆記具長手方向に沿って延びる長板形状のクリップ本体１３ａから構成される。
【００１８】
クリップ本体１３ａ先端側の、後軸７に対向する内面には、クリップ力の作用部を構成する半円弧状のクリップ玉部１７が形成される。
【００１９】
クリップ本体１３ａの後部両側には、尾冠９を弾力的に挟み込み得るように尾冠方向に湾曲して延びる一対の相互対称形状のクリップ脚部１３ｂが形成される。
【００２０】
各クリップ脚部１３ｂ先端の一方の角部（図５で左側すなわち筆記具先端側）は、湾曲凸面１３ｃが形成され、他方の角部（図５で右側すなわち筆記具後端側）は、テーパー面１３ｄが形成される。
【００２１】
このテーパー面１３ｄは、後述するように、クリップ回動時に尾冠９の対応する面に当接・係合してクリップ１３のそれ以上の開きを阻止するストッパ構造を構成する。
【００２２】
各クリップ脚部１３ｂ先端中央には、尾冠９との連結用であって、それを中心にクリップ１３が回動できるようにするための貫通孔１３ｅが設けられる。
【００２３】
クリップ本体１３ａ後部内面には、コイルバネ１５の一端外周を拘束する窪み（バネ受け部）が設けられる。
【００２４】
図８〜１０に示すように、尾冠９は、リング状部分１９ａと下側の半リング状部分１９ｂとを接続したような形態の大径部１９と、大径部１９に挿入したような形態の一回り小さい径の小径部２１と、を有する。
【００２５】
小径部２１（尾冠９）の後端側には、矩形状の平坦なバネ受け面２１ａ（バネ受け部）が設けられ、バネ受け面２１ａには、コイルバネ１５の他端内周を拘束する円錐台状の隆起２１ｂ（図８では上方に突出）が設けられる。
【００２６】
コイルバネ１５は、クリップ本体１３ａの窪み（バネ受け部）と尾冠９の小径部２１の隆起２１ｂ（バネ受け部）とによって確実に拘束される。すなわち、この合理的なバネ支持構造によってコイルバネ１５の脱落（外れ）を効果的に阻止できる。
【００２７】
小径部２１（尾冠９）のバネ受け面２１ａに近接して、クリップ取付け時に各クリップ脚部１３ｂ先端が対向する位置に支持ピン２３が設けられる。
【００２８】
支持ピン２３は、小径部２１の両側から相互に１８０度対向するように同じ長さだけ突出する。
【００２９】
尚、支持ピン２３は、小径部２１（尾冠９）と一体形成すなわち一部品として成型でき、あるいは、別体で組み立てるように構成できる。
【００３０】
小径部２１の両側で、各クリップ脚部１３ｂの貫通孔１３ｅにそれに対応する支持ピン２３が嵌合すると共に、クリップ本体１３ａのバネ受け部（窪み）と、尾冠９のバネ受け面２１ａ（隆起２１ｂ）との間にコイルバネ１５が装着される。
【００３１】
これにより、クリップ１３は、クリップ脚部１３ｂの貫通孔１３ｅと支持ピン２３との枢支構造を介して回動できる。その一方で、クリップ１３は、コイルバネ１５によってクリップが閉じる方向に常時付勢される。
【００３２】
コイルバネ１５による付勢力に抗してクリップ１３を回動させた場合、各クリップ脚部１３ｂの先端角部のテーパー面１３ｄが大径部１９の半リング状部分１９ｂの平面部１９ｃに当接・係合して、クリップ脚部１３ｂのそれ以上の回動が妨げられ、したがって、クリップ１３のそれ以上の回動も阻止される。
【００３３】
クリップ脚部１３ｂの先端角部の湾曲凸面１３ｃが、尾冠９の大径部１９のリング状部分１９ａと半リング状部分１９ｂとの接続箇所の湾曲凹面１９ｄに摺接するように配置構成される。尚、１３ｃおよび１９ｄが、支障のないよう摺動接触しないように構成することもできる。
【００３４】
この構成は、クリップ１３を筆記具先端側に押すないし引くような外力が相対的に作用した際に、クリップ１３の軸方向への外れの阻止や支持ピン２３への負荷の軽減に役立つことができる。
【００３５】
以下、尾冠９にクリップ１３を取付ける工程について、簡潔に説明する。
【００３６】
先ず、両クリップ脚部１３ｂで支持ピン２３を挟むように位置させつつ、クリップ１３を推し進める（尾冠９に近づけていく）。
【００３７】
クリップ脚部１３ｂは、クリップ１３の推し進めに応じて、支持ピン２３によって弾力的に拡がっていく。
【００３８】
そして、最終的には、支持ピン２３がクリップ脚部１３ｂの貫通孔１３ｅの中にパチッとスナップ式に嵌まり込み、クリップ脚部１３ｂが狭まった通常状態に復帰する（図２および３）。これにより、クリップ１３の取付けが完了する。
【００３９】
尚、クリップ１３を尾冠９から取り外す場合には、たとえば、一方のクリップ脚部１３ｂを拡げて、そのクリップ脚部１３ｂの貫通孔１３ｅから支持ピン２３を外し、次いで、同じように他方のクリップ脚部１３ｂを拡げて、そのクリップ脚部１３ｂの貫通孔１３ｅから支持ピン２３を外すことで足りる。
【００４０】
以上のように、本第１実施形態においては、クリップ１３が、クリップ脚部１３ｂの貫通孔１３ｅと尾冠９（小径部２１）の支持ピン部２３ａとの連結部を支点にして回動を行うところ、この支点が尾冠９に形成された湾曲凹面１９ｄ内に存在し、したがって、クリップ１３の取付け高さを相当低くできる。
【００４１】
尚、クリップ１３の取付け高さを低くする観点からは、尾冠９に形成された湾曲凹面１９ｄ内に支持ピン２３の少なくとも一部が占有しておれば足りる。
【００４２】
クリップ１３と筆記具本体（尾冠９）との間の隙間をかなり狭くすることができるので、クリップの強度や耐久性を高める設計が可能になると共に、クリップ設計（筆記具設計）の自由度が拡大する。
【００４３】
更に、本第１実施形態においては、クリップ脚部１３ｂの先端角部にテーパー面１３ｄを設けることのみで、クリップ１３の開き過ぎを簡単かつ確実に防止できる。
更にまた、クリップ１３の軸方向の外れを小径部２１と大径部１９の段差（湾曲凹面１９ｄ等）で阻止することができる。
【００４４】
［第２実施形態］
次に、図１１〜図１９を参照して、本発明の第２実施形態の筆記具について簡潔に説明する。尚、上記第１実施形態と同一の要素及び部分については、同一の参照付号を必要限度で付与して、重複する説明を適宜省略し、特徴的な部分を詳説する。後述する第３実施形態および第４実施形態についても同様である。
【００４５】
本第２実施形態の筆記具は、（ｉ）クリップ脚部１３ｂ先端の一方角部（図５で左側すなわち筆記具先端側）のみならず他方の角部（図１４で右側すなわち筆記具後端側）も丸く形成された湾曲凸面１３ｆとなっていること、したがって、クリップ脚部１３ｂの先端全体が半円状の湾曲凸面（１３ｃおよび１３ｆ）になっていること（図１４）、および、（ｉｉ）クリップ脚部１３ｂ先端の他方角部に対応する対応面が湾曲凹面１９ｅに形成され（図１７）、この湾曲凹面１９ｅの終端部分１９ｆ（図１７）がクリップ脚部１３ｂ先端の後方側の平らな側面１３ｇ（図１４）に当接・係合してクリップ回動が制限されることが特徴である（図１３）。
【００４６】
斯かる第２実施形態においては、上記第１実施形態の優れた効果と同様の効果を得ることができる。
【００４７】
［第３実施形態］
次に、図２０〜図２８を参照して、本発明の第３実施形態の筆記具について簡潔に説明する。
【００４８】
本第３実施形態の筆記具は、尾冠９にクリップ方向に突出する凸リブ２５を設け、この凸リブ２５とクリップ１３（クリップ内面）との当接・係合によってクリップ回動が制限されることが特徴である。
【００４９】
より詳細には、凸リブ２５は、支持ピン２３に直交するようにクリップ内面に向けて突出する立方状ブロック部から構成される。その先端（上端）の筆記具後方側の角部は、テーパー状に面取りされ、このテーパー面２５ａが、クリップ内面に当接・係合することによってクリップ開きを制限する。
【００５０】
斯かる第３実施形態においては、上記第１および第２実施形態における優れた効果と同様の効果を得ることができることに加えて、クリップ脚部１３ｂではなくてクリップ１３自体を凸リブ２５で直接支持（当接・係合）する構造であるために、クリップ開閉の耐久性等をより向上させることが可能である。
【００５１】
また、クリップ脚部１３ｂや尾冠９の設計の自由度をより高めること（一体感のある設計等）が可能である。さらに、凸リブ２５をクリップ脚部１３ｂの根元側で挟み込むようにすることができる構造上、クリップ１３の剛性（曲げや捩れ、外れに対する耐性）をより高めることが可能である。
【００５２】
［第４実施形態］
最後に、図２９〜図３５を参照して、本発明の第４実施形態の筆記具について簡潔に説明する。
【００５３】
本第４実施形態の筆記具は、支持ピン２３の上側に設けられる凸リブ２７がＬ字板状の部分から構成され、それに対向するようにクリップ内面には、突起１３ｈが設けられ、凸リブ２７と突起１３ｈとが当接・係合することによってクリップ回動が制限されることが特徴である。
【００５４】
斯かる第４実施形態においては、上記第３実施形態における優れた効果と同様の効果を得ることができることに加えて、突起１３ｈが両クリップ脚部１３ｂを直交するように橋渡しするためにクリップ脚部１３ｂ同士の相互拡がりを規制する補強部材として機能し、クリップ脚部１３ｂ（貫通孔１３ｅ）を支持ピン部２３ａから外れにくくすることができる。
【００５５】
本発明は、上記第１〜第４実施形態に限定されるものではなく、本発明の範囲内、すなわち、特許請求の範囲に記載された範囲内で、各種の改変・変形等を行うことが可能である。
【００５６】
例えば、本実施形態では、筆記具を本発明の適用対象としたが、本発明の原理自体はこれに限定されるものではない。すなわち、本発明は、シャープペンシルのみならず、ボールペンや万年筆などの様々な筆記具に適用できることは勿論のこと、例えば、グラフィックタブレットで使用される座標入力用のペン（スタイラス）やペン型の（レーザー）ポインタ等の非筆記具にも幅広く適用できる。
【図面の簡単な説明】
【００５７】
【図１】本発明の第１実施形態の筆記具の全体正面図である。
【図２】第１実施形態のクリップ取り付け部の側面図である。
【図３】第１実施形態のクリップ取り付け部の後面図である。
【図４】第１実施形態のクリップ開状態のクリップ取り付け部の側面図である。
【図５】第１実施形態のクリップの側面図である。
【図６】第１実施形態のクリップの平面図である。
【図７】第１実施形態のクリップの後面図である。
【図８】第１実施形態の尾冠の側面図である。
【図９】第１実施形態の尾冠の平面図である。
【図１０】第１実施形態の尾冠の後面図である。
【図１１】本発明の第２実施形態のクリップ取り付け部の側面図である。
【図１２】第２実施形態のクリップ取り付け部の後面図である。
【図１３】第２実施形態のクリップ開状態のクリップ取り付け部の側面図である。
【図１４】第２実施形態のクリップの側面図である。
【図１５】第２実施形態のクリップの平面図である。
【図１６】第２実施形態のクリップの後面図である。
【図１７】第２実施形態の尾冠の側面図である。
【図１８】第２実施形態の尾冠の平面図である。
【図１９】第２実施形態の尾冠の後面図である。
【図２０】本発明の第３実施形態のクリップ取り付け部の側面図である。
【図２１】第３実施形態のクリップ取り付け部の後面図である。
【図２２】第３実施形態のクリップ開状態のクリップ取り付け部の側面図である。
【図２３】第３実施形態のクリップの側面図である。
【図２４】第３実施形態のクリップの平面図である。
【図２５】第３実施形態のクリップの後面図である。
【図２６】第３実施形態の尾冠の側面図である。
【図２７】第３実施形態の尾冠の平面図である。
【図２８】第３実施形態の尾冠の後面図である。
【図２９】本発明の第４実施形態のクリップ取り付け部の側面図である。
【図３０】第４実施形態のクリップ取り付け部の一部断面側面図である。
【図３１】第４実施形態のクリップ取り付け部の後面図である。
【図３２】第４実施形態のクリップ開状態のクリップ取り付け部の一部断面側面図である。
【図３３】第４実施形態の尾冠の側面図である。
【図３４】第４実施形態の尾冠の平面図である。
【図３５】第４実施形態の尾冠の後面図である。
【符号の説明】
【００５８】
１    筆記具
３    先金
５    中軸
７    後軸
９    尾冠
１１    ノックバー
１３    クリップ
１３ａ    クリップ本体
１３ｂ    クリップ脚部
１３ｃ    湾曲凸面
１３ｄ    テーパー面
１３ｅ    貫通孔
１３ｆ    湾曲凸面
１３ｇ    側面
１３ｈ    突起
１５    コイルバネ
１７    クリップ玉部
１９    大径部
１９ａ    リング状部分    
１９ｂ    半リング状部分
１９ｃ    細長平面部
１９ｄ、１９ｅ    湾曲凹面
１９ｆ    終端部分
２１    小径部
２１ａ    バネ受け面
２１ｂ    隆起
２３    支持ピン
２５、２７    凸リブ
２５ａ    テーパー面
【図１】
0005705508.tif 000002
【図２】
0005705508.tif 000003
【図３】
0005705508.tif 000004
【図４】
0005705508.tif 000005
【図５】
0005705508.tif 000006
【図６】
0005705508.tif 000007
【図７】
0005705508.tif 000008
【図８】
0005705508.tif 000009
【図９】
0005705508.tif 000010
【図１０】
0005705508.tif 000011
【図１１】
0005705508.tif 000012
【図１２】
0005705508.tif 000013
【図１３】
0005705508.tif 000014
【図１４】
0005705508.tif 000015
【図１５】
0005705508.tif 000016
【図１６】
0005705508.tif 000017
【図１７】
0005705508.tif 000018
【図１８】
0005705508.tif 000019
【図１９】
0005705508.tif 000020
【図２０】
0005705508.tif 000021
【図２１】
0005705508.tif 000022
【図２２】
0005705508.tif 000023
【図２３】
0005705508.tif 000024
【図２４】
0005705508.tif 000025
【図２５】
0005705508.tif 000026
【図２６】
0005705508.tif 000027
【図２７】
0005705508.tif 000028
【図２８】
0005705508.tif 000029
【図２９】
0005705508.tif 000030
【図３０】
0005705508.tif 000031
【図３１】
0005705508.tif 000032
【図３２】
0005705508.tif 000033
【図３３】
0005705508.tif 000034
【図３４】
0005705508.tif 000035
【図３５】
0005705508.tif 000036